(57)【特許請求の範囲】
【請求項１】
中心導体と、
前記中心導体を保持するハウジングと、
前記ハウジングを収容する筒状の外部導体とを備えている同軸コネクタにおいて、
前記ハウジングが、前記外部導体に前記外部導体の中心軸と直交する方向へ移動可能に保持されていることを特徴とする同軸コネクタ。
【請求項２】
前記外部導体の中心軸に対して前記中心導体の中心軸が傾斜可能に前記ハウジングが前記外部導体に保持されていることを特徴とする請求項１記載の同軸コネクタ。
【請求項３】
プラグ側中心導体と、前記プラグ側中心導体を保持するプラグ側ハウジングと、前記プラグ側ハウジングを収容する筒状のプラグ側外部導体とを有するプラグ側同軸コネクタと、
レセプタクル側中心導体と、前記レセプタクル側中心導体を保持するレセプタクル側ハウジングと、前記レセプタクル側ハウジングを保持する筒状のレセプタクル側外部導体とを有するレセプタクル側同軸コネクタとを備えている接続装置において、
前記プラグ側同軸コネクタを収容するプラグ側孔を有するプラグ側パネルと、
前記レセプタクル側同軸コネクタを収容するレセプタクル側孔を有するレセプタクル側パネルと、
前記両同軸コネクタ同士を嵌合して前記両外部導体の先端面同士が接触したとき前記両パネル間に形成される空間部と、
前記空間部を介して対向する前記両パネルを結合する結合手段とを備え、
前記プラグ側外部導体の中心軸と直交する方向へ移動可能かつ前記プラグ側外部導体の中心軸に対して前記プラグ側中心導体の中心軸が傾斜可能に前記プラグ側ハウジングが前記プラグ側外部導体に保持され、
前記レセプタクル側外部導体の中心軸と直交する方向へ移動可能かつ前記レセプタクル側外部導体の中心軸に対して前記レセプタクル側中心導体の中心軸が傾斜可能に前記レセプタクル側ハウジングが前記レセプタクル側外部導体に保持されている
ことを特徴とする接続装置。
【請求項４】
プラグ側中心導体と、前記プラグ側中心導体を保持するプラグ側ハウジングと、前記プラグ側ハウジングを収容する筒状のプラグ側外部導体とを有するプラグ側同軸コネクタと、
レセプタクル側中心導体と、前記レセプタクル側中心導体を保持するレセプタクル側ハウジングと、前記レセプタクル側ハウジングを保持する筒状のレセプタクル側外部導体とを有するレセプタクル側同軸コネクタとを備えている接続装置において、
導電性を有する材料で形成され、前記プラグ側同軸コネクタを収容するプラグ側孔を有するプラグ側パネルと、
導電性を有する材料で形成され、前記レセプタクル側同軸コネクタを収容するレセプタクル側孔を有するレセプタクル側パネルと
前記両同軸コネクタ同士を嵌合したときの前記両外部導体の先端面間に形成される空間部とを備え、
前記プラグ側外部導体の中心軸と直交する方向へ移動可能に前記プラグ側ハウジングが前記プラグ側外部導体に保持され、
前記レセプタクル側外部導体の中心軸と直交する方向へ移動可能に前記レセプタクル側ハウジングが前記レセプタクル側外部導体に保持され、
前記両同軸コネクタ同士を嵌合したとき、前記プラグ側孔に前記レセプタクル側外部導体が嵌合、又は前記レセプタクル側孔に前記プラグ側外部導体が嵌合する
ことを特徴とする接続装置。
【発明の詳細な説明】
【技術分野】
【０００１】
この発明は同軸コネクタ及びそれを備えた接続装置に関する。
【背景技術】
【０００２】
従来、中心導体及び外部導体の軸方向のずれを修正するためのフローティング機構付の同軸プラグコネクタが知られている（下記特許文献１参照）。
【０００３】
この同軸プラグコネクタは中心コンタクトと外部コンタクトとインシュレータとシェルとフローティングフランジとコイルスプリングとを備えている。
【０００４】
中心導体はほぼ軸状である。外部コンタクトは円筒状であり、中心導体を収容する。インシュレータは中心導体と外部コンタクトとの間に介在する。
【０００５】
シェルはほぼ円筒状であり、外部コンタクトの先端部を収容する。シェルは外部コンタクトの中心軸方向へ移動できるように外部コンタクトに装着されている。シェルの先端部の内壁面には、相対的にレセプタクルコネクタをシェル内に導き入れるテーパ面が形成されている。
【０００６】
フローティングフランジはほぼ円筒状であり、中心コンタクト、外部コンタクト及びインシュレータを収容するとともに、シェルの後端部を収容する。フローティングフランジはフランジ部を有する。フランジ部は固定ねじでパネルに緩く固定される。フランジ部に固定ねじを通す孔が設けられ、その孔の内径は固定ねじの軸部の外径よりも大きく、固定ねじの頭部の外径よりも小さい。したがって、フローティングフランジは中心コンタクトの径方向に沿って所定距離だけ移動可能である。
【０００７】
フローティングフランジ内にはコイルスプリングが配置されている。コイルスプリングは外部コンタクトの外周面に装着されている。コイルスプリングはシェルをレセプタクルコネクタの方へ押圧する。
【０００８】
上述のプラグコネクタとレセプタクルコネクタとを接続する場合、プラグコネクタとレセプタクルコネクタとの間に軸ずれがあると、プラグコネクタとレセプタクルコネクタとを嵌合させるとき、プラグコネクタのシェル先端部のテーパ面にレセプタクルコネクタの先端部が突き当たり、プラグコネクタが中心コンタクトの径方向へ移動し、プラグコネクタの中心コンタクトがレセプタクルコネクタの中心コンタクトの中心軸上に案内される。その結果、軸ずれが解消され、プラグコネクタとレセプタクルコネクタとが正常に嵌合する。
【特許文献１】特開２００３−１２３９１４号公報（段落００２１、図７参照）
【発明の開示】
【発明が解決しようとする課題】
【０００９】
従来の同軸プラグコネクタは軸ずれを解消することができるが、そのために上述のフローティングフランジはフランジ部を有し、そのフランジ部の孔の内径を固定ねじの軸部の外径よりも大きくするという構成を採用したため、パネルに対するコネクタの装着スペースが大きくなる。
【００１０】
この発明はこのような事情に鑑みてなされたもので、その課題はパネルに対するコネクタの装着スペースを大きくせずに、嵌合されるコネクタ間の軸ずれを吸収することである。
【課題を解決するための手段】
【００１１】
前述の課題を解決するため請求項１の発明の同軸コネクタは、中心導体と、前記中心導体を保持するハウジングと、前記ハウジングを収容する筒状の外部導体とを備えている同軸コネクタにおいて、前記ハウジングが、前記外部導体に前記外部導体の中心軸と直交する方向へ移動可能に保持されていることを特徴とする。
【００１２】
上述のようにハウジングが外部導体に外部導体の中心軸と直交する方向へ移動可能に保持されているので、外部導体を単にパネルに固定すれば、中心導体がハウジングとともに外部導体の中心軸と直交する方向へ移動できる。
【００１３】
請求項２の発明は、請求項１記載の同軸コネクタにおいて、前記外部導体の中心軸に対して前記中心導体の中心軸が傾斜可能に前記ハウジングが前記外部導体に保持されていることを特徴とする。
【００１４】
請求項３の発明は、プラグ側中心導体と、前記プラグ側中心導体を保持するプラグ側ハウジングと、前記プラグ側ハウジングを収容する筒状のプラグ側外部導体とを有するプラグ側同軸コネクタと、レセプタクル側中心導体と、前記レセプタクル側中心導体を保持するレセプタクル側ハウジングと、前記レセプタクル側ハウジングを保持する筒状のレセプタクル側外部導体とを有するレセプタクル側同軸コネクタとを備えている接続装置において、前記プラグ側同軸コネクタを収容するプラグ側孔を有するプラグ側パネルと、前記レセプタクル側同軸コネクタを収容するレセプタクル側孔を有するレセプタクル側パネルと、前記両同軸コネクタ同士を嵌合して前記両外部導体の先端面同士が接触したとき前記両パネル間に形成される空間部と、前記空間部を介して対向する前記両パネルを結合する結合手段とを備え、前記プラグ側外部導体の中心軸と直交する方向へ移動可能かつ前記プラグ側外部導体の中心軸に対して前記プラグ側中心導体の中心軸が傾斜可能に前記プラグ側ハウジングが前記プラグ側外部導体に保持され、前記レセプタクル側外部導体の中心軸と直交する方向へ移動可能かつ前記レセプタクル側外部導体の中心軸に対して前記レセプタクル側中心導体の中心軸が傾斜可能に前記レセプタクル側ハウジングが前記レセプタクル側外部導体に保持されていることを特徴とする。
【００１５】
請求項４の発明は、プラグ側中心導体と、前記プラグ側中心導体を保持するプラグ側ハウジングと、前記プラグ側ハウジングを収容する筒状のプラグ側外部導体とを有するプラグ側同軸コネクタと、レセプタクル側中心導体と、前記レセプタクル側中心導体を保持するレセプタクル側ハウジングと、前記レセプタクル側ハウジングを保持する筒状のレセプタクル側外部導体とを有するレセプタクル側同軸コネクタとを備えている接続装置において、導電性を有する材料で形成され、前記プラグ側同軸コネクタを収容するプラグ側孔を有するプラグ側パネルと、導電性を有する材料で形成され、前記レセプタクル側同軸コネクタを収容するレセプタクル側孔を有するレセプタクル側パネルと前記両同軸コネクタ同士を嵌合したときの前記両外部導体の先端面間に形成される空間部とを備え、前記プラグ側外部導体の中心軸と直交する方向へ移動可能に前記プラグ側ハウジングが前記プラグ側外部導体に保持され、前記レセプタクル側外部導体の中心軸と直交する方向へ移動可能に前記レセプタクル側ハウジングが前記レセプタクル側外部導体に保持され、前記両同軸コネクタ同士を嵌合したとき、前記プラグ側孔に前記レセプタクル側外部導体が嵌合、又は前記レセプタクル側孔に前記プラグ側外部導体が嵌合することを特徴とする。
【発明の効果】
【００１６】
この発明によれば、パネルに対するコネクタの装着スペースを大きくせずに、嵌合されるコネクタ間の軸ずれを吸収することができる。
【発明を実施するための最良の形態】
【００１７】
以下、この発明の実施の形態を図面に基づいて説明する。
【００１８】
図１はこの発明の第１実施形態に係る接続装置の斜視図、図２Ａは図１に示す接続装置のプラグ側同軸コネクタの側面図、図２Ｂは同プラグ側同軸コネクタの正面図、図３Ａは図２Ａに示すプラグ側同軸コネクタのプラグ側中心導体の中心軸とプラグ側外部導体の中心軸とが一致している状態を示す断面図、図３Ｂは同プラグ側中心導体の中心軸と同プラグ側外部導体の中心軸とが同プラグ側外部導体の中心軸と直交する方向へずれている状態を示す断面図、図３Ｃは同プラグ側中心導体の中心軸が同プラグ側外部導体の中心軸に対して傾斜している状態を示す断面図、図４は図１に示す接続装置の接続前の状態を示す断面図、図５は図４に示す接続装置の接続後の状態を示す断面図である。
【００１９】
図１、４に示すように、接続装置４１はプラグ側同軸コネクタ１とレセプタクル側同軸コネクタ１１とプラグ側パネル２１とレセプタクル側パネル２５とを備える。
【００２０】
図２Ａ、２Ｂ、図３Ａ、３Ｂ、３Ｃに示すように、プラグ側同軸コネクタ１はプラグ側中心導体３とインシュレータであるプラグ側ハウジング５とプラグ側外部導体７とを有する。
【００２１】
プラグ側中心導体３は金属で形成され、ピン部３１とフランジ部３２と端子部３３とを有する。ピン部３１は大径部３１ａと小径部３１ｂとを有する。大径部３１ａは円柱状であり、その半分はプラグ側ハウジング５に埋め込まれている。小径部３１ｂは大径部３１ａに結合され、小径部３１ｂの先端部はほぼ半球状に形成されている。フランジ部３２はピン部３１に結合されている。フランジ部３２の外径は大径部３１ａや端子部３３の外径よりも大きい。フランジ部３２はプラグ側中心導体３がプラグ側ハウジング５から抜けないようにプラグ側ハウジング５に埋め込まれている。端子部３３はフランジ部３２に結合されている。端子部３３は円柱状で、ケーブル（図示せず）の中心導体と接続するものであり、そのほぼ半分はプラグ側ハウジング５に埋め込まれている。
【００２２】
プラグ側ハウジング５はプラグ外部コンタクト３を保持している。プラグ側ハウジング５は絶縁材料でほぼ円柱状に形成され、大径部５１と小径部５２とを有する。大径部５１の先端部の外周縁にはテーパ面５１ａが形成されている。小径部５２は大径部５１に結合されている。
【００２３】
プラグ側外部導体７は金属で形成されている。プラグ側外部導体７は円筒状であり、ケーブルの外部導体に接続される。プラグ側外部導体７の内壁面７１の後部には環状溝７２が形成されている。環状溝７２はプラグ側外部導体７の中心軸ＳＬ７を中心とする円に沿う溝である。プラグ側外部導体７の内径（環状溝７２が形成されている部分以外の部分の内径）はプラグ側ハウジング５の大径部５１の外径よりも小さく、プラグ側ハウジング５の小径部５２の外径よりも少し大きい。プラグ側外部導体７の環状溝７２が形成されている部分の内径はプラグ側ハウジング５の大径部５１の外径よりも大きい。また、環状溝７２の溝幅はプラグ側ハウジング５の大径部５１の厚さ（高さ）よりも少し大きい。
【００２４】
図３Ａに示すように、プラグ側ハウジング５の大径部５１はプラグ側外部導体７にこじ入れるようにして挿入され、環状溝７２に収容される。このため、一旦プラグ側ハウジング５の大径部５１がプラグ側外部導体７の環状溝７２に収容されると、プラグ側ハウジング５はプラグ側外部導体７から容易に抜けない。
【００２５】
上述のようにプラグ側外部導体７の環状溝７２が形成されている部分以外の部分の内径７３はプラグ側ハウジング５の小径部５２の外径よりも少し大きいので、その分だけ、図３Ｂに示すように、プラグ側ハウジング５はプラグ側外部導体７の中心軸ＳＬ７に直交する方向へ移動可能である。したがって、プラグ側中心導体３はプラグ側ハウジング５とともに中心軸ＳＬ７に直交する方向へ移動可能である。
【００２６】
また、上述のように環状溝７２の溝幅はプラグ側ハウジング５の大径部５１の厚さよりも少し大きいので、その分だけ、プラグ側ハウジング５は中心軸ＳＬ７方向へ移動可能である。したがって、プラグ側中心導体３はプラグ側ハウジング５とともに中心軸ＳＬ７方向へ移動可能である。
【００２７】
以上のようにプラグ側ハウジング５は中心軸ＳＬ７と直交する方向と中心軸ＳＬ７方向へと移動可能であるので、図３Ｃに示すように、プラグ側コンタクト３の中心軸ＳＬ３をプラグ側外部導体７に中心軸ＳＬ７に対して傾斜させることができる。
【００２８】
中心導体３の外径をｄ、外部導体７の内径をＤとすると、特性インピーダンスＺ０は次式で求められる。
【００２９】
Ｚ０＝１３８／（εｒ）＾０．５×ｌｏｇ（Ｄ／ｄ）・・・数式１
【００３０】
但し、ｌｏｇは１０ｌｏｇ、εｒはハウジング５の比誘電率である。
【００３１】
数式１は中心導体３の中心軸ＳＬ３と外部導体７の中心軸ＳＬ７とが一致している状態の計算式である。
【００３２】
上述のように中心導体３はハウジング５を介して外部導体７にフローティング状態に保持されているので、中心導体３の中心軸ＳＬ３と外部導体７の中心軸ＳＬ７とが一致しないときがあるが、そのときの特性インピーダンスの変化量はごくわずかであり、問題ない。具体的な数値を挙げると、ｄが１ｍｍ、Ｄが２．３ｍｍの場合、中心導体３の中心軸ＳＬ３と外部導体７の中心軸ＳＬ７とが一致しているときの特性インピーダンスの値は４９．９５Ωであるが、中心導体３の中心軸ＳＬ３と外部導体７の中心軸ＳＬ７とが０．０５ｍｍずれたときの特性インピーダンスの値は４９．８１Ωであった。
【００３３】
図１、４に示すように、プラグ側同軸コネクタ１とレセプタクル側同軸コネクタ１１とはほぼ同じ構成であるので、プラグ側同軸コネクタ１と同様な部分についてはプラグ側同軸コネクタ１の符号と同じ符号を付けてその説明を省略する。但し、プラグ側同軸コネクタ１とレセプタクル側同軸コネクタ１１とを区別するために、レセプタクル側同軸コネクタ１１の符号には´（ダッシュ）をつけた。
【００３４】
プラグ側コネクタ１とレセプタクル側同軸コネクタ１１とは中心導体３，１３の構造の点で異なる。
【００３５】
レセプタクル側中心導体１３はソケット部１３１とフランジ部３２´と端子部３３´とを有する。レセプタクル側中心導体１３とプラグ側中心導体３との違いは、先端部がソケット部１３１かピン部３１かの違いだけである。
【００３６】
ソケット部１３１の外周面には一対のスリット１３１ａが形成されている。スリット１３１ａはレセプタクル側中心導体１３の中心軸に沿って延びている。
【００３７】
図４に示すように、プラグ側パネル２１にはプラグ側孔２１ａが形成されている。図８に示すように、プラグ側孔２１ａは水平方向に沿って２つ並んでいる。２つのプラグ側同軸コネクタ１はそれぞれ単にプラグ側孔２１ａに圧入されることによってプラグ側パネル２１に固定されている。
【００３８】
また、レセプタクル側パネル２５にはレセプタクル側孔２５ａが形成されている。図８に示すように、レセプタクル側孔２５ａは水平方向に沿って２つ並んでいる。２つのレセプタクル側同軸コネクタ１１はそれぞれ単にレセプタクル側孔２５ａに圧入されることによってレセプタクル側パネル２５に固定されている。
【００３９】
図４はプラグ側同軸コネクタ１とレセプタクル側同軸コネクタ１１との間に軸ずれ（プラグ側外部導体７の中心軸ＳＬ７と直交する方向のずれ）がない状態を示しているが、この状態から矢印に沿ってプラグ側パネル２１とレセプタクル側パネル２５とを移動させれば、図５に示すように、プラグ側同軸コネクタ１とレセプタクル側同軸コネクタ１１とは正常に接続される。
【００４０】
このとき、プラグ側外部導体７とレセプタクル側外部導体７´とは接触する。この接触状態を保つためプラグ側パネル２１とレセプタクル側パネル２５とは結合手段（例えばボルト・ナット、クリップ）によって結合される。このようにプラグ側パネル２１とレセプタクル側パネル２５とには互いに近づくように作用する結合力が与えられている。
【００４１】
外部導体７，７´同士が接触する前に、パネル２１，２５同士が接触すると、外部導体７，７´が接触できなくなるので、プラグ側パネル２１とレセプタクル側パネル２５との間には隙間（空間部）２３が生じるように構成されている。
【００４２】
図６は図４に示す接続装置が軸ずれを起こした状態を示す断面図、図７は図６に示す接続装置が接続された状態を示す断面図である。
【００４３】
図６に示すように、プラグ側同軸コネクタ１とレセプタクル側同軸コネクタ１１とが例えば上下方向へ軸ずれを起こしている場合でも、矢印に沿ってプラグ側パネル２１とレセプタクル側パネル２５とを移動させれば、レセプタクル側中心導体７のソケット部１３１がプラグ側中心導体３のピン部３１を誘い入れるときに、プラグ側中心導体３とレセプタクル側中心導体１３とがそれぞれ外部導体７、７´の中心軸ＳＬ７，７´に直交する方向へ移動することによって軸ずれが解消され、図７に示すように、中心導体３，１３同士が嵌合できる。更に、プラグ側パネル２１とレセプタクル側パネル２５とを互いに近づければ、プラグ側同軸コネクタ１とレセプタクル側同軸コネクタ１１とは正常に接続される。
【００４４】
図８は図４に示す接続装置の同軸コネクタの嵌合高さが異なった状態で接続した状態を示す平面図、図９は図８に示す同軸コネクタの拡大図である。図８、図９の両コネクタ１，１１の両外部導体７，７´の一部が切り欠いてある
【００４５】
２つのプラグ側同軸コネクタ１，１はプラグ側パネル２１に水平方向に沿って並べられ、２つのレセプタクル側同軸コネクタ１１はレセプタクル側パネル２５に水平方向に沿って並べられているが、製造誤差や取付誤差等により、同軸コネクタ１，１１の嵌合高さ（中心軸ＳＬ７，７´方向でのパネル２１，２５から同軸コネクタ１，１１の嵌合方向先端面までの距離）が異なる場合がある。一例として、図８ではプラグ側同軸コネクタ１，１が異なった場合を示している。
【００４６】
この場合、図８に示すように、中心導体３，１３が傾斜できるので、中心導体３，１３が相対的にパネル２１，２５に対して傾斜することにより、嵌合高さが低い方へパネル２１，２５を近づける（図８に示すパネル２１，２５の間隔ａ，ｂをａ＞ｂとする）ことによって嵌合高さの違いを吸収することができる。その結果、高周波特性の劣化を防ぐことができる。
【００４７】
このとき、図９に示すように、外部導体７，７´同士は全面で接触しないが、電気的な導通は得られる。
【００４８】
第１実施形態によれば、パネルに対するコネクタの装着スペースを大きくせずに、嵌合されるコネクタ間の軸ずれを吸収することができ、更に、コネクタ間の嵌合高さの違いも吸収することができる。
【００４９】
図１０Ａはこの発明の第２実施形態に係る接続装置の接続前の状態を示す断面図、図１０Ｂは同接続装置の接続後の状態を示す断面図である。
【００５０】
第１実施形態と共通する部分については同一符号を付してその説明を省略する。以下、第１実施形態との主な相違部分についてだけ説明する。
【００５１】
第１実施形態では、パネル２１，２５は外部導体７，７´同士の導通には関与していないが、第２実施形態では、パネル２２１，２２５は外部導体７，７´同士の導通に関与している。
【００５２】
プラグ側パネル２２１及びレセプタクル側パネル２２５は導電性を有する材料で形成されている。
【００５３】
プラグ側同軸コネクタ１のプラグ側外部導体７の先端部はレセプタクル側パネル２２５のレセプタクル側孔２２５ａに挿入され、レセプタクル側パネル２２５と接触する。これにより、プラグ側外部導体７とレセプタクル側外部導体７´とはレセプタクル側パネル２２５を介して導通する。
【００５４】
このため、第２実施形態では、外部導体７，７´同士を突き合わせる必要が無く、この特徴を利用して同軸コネクタ１、１１の嵌合高さの違いを解消できるようにするために、パネル２２１，２２５同士が突き合わされた状態のときに、外部導体７，７´同士の間に隙間（空間部）９が生じるように構成されている。
【００５５】
第２実施形態によれば、第１実施形態と同様の作用効果を奏する。
【００５６】
上述のように第２実施形態では外部導体７，７´同士を接触させる必要が無いので、中心導体３，１３は傾斜できなくても構わない。したがって、第２実施形態の変形例としては、ハウジング５，５´が中心軸ＳＬ７，７´の直交方向にだけ移動できるように外部導体７，７´に保持された同軸コネクタ１，１３を用いることが考えられる。
【００５７】
この変形例によれば、より簡素な構成の同軸コネクタを得られる。
【００５８】
なお、上述の実施形態の接続装置は一般的な電気用の接続装置であるが、この発明の適用範囲はこれに限られない。
【図面の簡単な説明】
【００５９】
【図１】図１はこの発明の第１実施形態に係る接続装置の斜視図である。
【図２Ａ】図２Ａは図１に示す接続装置のプラグ側同軸コネクタの側面図である。
【図２Ｂ】図２Ｂは同プラグ側同軸コネクタの正面図である。
【図３Ａ】図３Ａは図２Ａに示すプラグ側同軸コネクタのプラグ側中心導体の中心軸とプラグ側外部導体の中心軸とが一致している状態を示す断面図である。
【図３Ｂ】図３Ｂは同プラグ側中心導体の中心軸と同プラグ側外部導体の中心軸とが同プラグ側外部導体の中心軸と直交する方向へずれている状態を示す断面図である。
【図３Ｃ】図３Ｃは同プラグ側中心導体の中心軸が同プラグ側外部導体の中心軸に対して傾斜している状態を示す断面図である。
【図４】図４は図１に示す接続装置の接続前の状態を示す断面図である。
【図５】図５は図４に示す接続装置の接続後の状態を示す断面図である。
【図６】図６は図４に示す接続装置が軸ずれを起こした状態を示す断面図である。
【図７】図７は図６に示す接続装置が接続された状態を示す断面図である。
【図８】図８は図４に示す接続装置の同軸コネクタの嵌合高さが異なった状態で接続した状態を示す平面図である。
【図９】図９は図８に示す同軸コネクタの拡大図である。
【図１０Ａ】図１０Ａはこの発明の第２実施形態に係る接続装置の接続前の状態を示す断面図である。
【図１０Ｂ】図１０Ｂは同接続装置の接続後の状態を示す断面図である。
【符号の説明】
【００６０】
１  プラグコネクタ
３  プラグ側中心導体
５  プラグ側ハウジング
７  プラグ側外部導体
１１  レセプタクル側同軸コネクタ
１３  レセプタクル側中心導体
５´  レセプタクル側ハウジング
７´  レセプタクル側外部導体
９  隙間（空間部）
２１  プラグ側パネル
２１ａ  プラグ側孔
２３  隙間（空間部）
２５  レセプタクル側パネル
２５ａ  レセプタクル側孔
４１  接続装置
２２１  プラグ側パネル
２２１ａ  プラグ側孔
２２５  レセプタクル側パネル
２２５ａ  レセプタクル側孔
２４１  接続装置
【図１】
0004697898.tif 000002
【図２Ａ】
0004697898.tif 000003
【図２Ｂ】
0004697898.tif 000004
【図３Ａ】
0004697898.tif 000005
【図３Ｂ】
0004697898.tif 000006
【図３Ｃ】
0004697898.tif 000007
【図４】
0004697898.tif 000008
【図５】
0004697898.tif 000009
【図６】
0004697898.tif 000010
【図７】
0004697898.tif 000011
【図８】
0004697898.tif 000012
【図９】
0004697898.tif 000013
【図１０Ａ】
0004697898.tif 000014
【図１０Ｂ】
0004697898.tif 000015